(57)【特許請求の範囲】
【請求項１】
表示画面に表示された画像選択領域に複数の画像を表示する表示制御手段と、
前記画像選択領域に表示された画像を指定する指定手段と、
スクロールの指示に応じて、前記画像選択領域の表示を自動スクロールするスクロール手段とを備え、
前記表示制御手段は、前記スクロール手段によって前記画像選択領域内を自動スクロールする画像が前記指定手段によって指定された場合に、指定された画像を前記画像選択領域内の指定された位置に静止して表示し、前記スクロール手段は、前記指定された画像以外の画像を、該指定された画像が静止している領域を除く画像選択領域内において自動スクロールさせることを特徴とする画像選択装置。
【請求項２】
複数の画像を格納する格納手段と、
前記格納手段より前記表示制御手段による表示のために画像を読み出す読出手段と、を更に備えることを特徴とする請求項１記載の画像選択装置。
【請求項３】
前記指定手段で指定された画像の選択を解除する旨の指示に応じて、前記表示制御手段により前記指定手段で指定された画像の前記画像選択領域への表示を解除する解除手段を更に備えることを特徴とする請求項１又は２記載の画像選択装置。
【請求項４】
表示画面に表示された画像選択領域に複数の画像を表示する表示制御工程と、
前記画像選択領域に表示された画像を指定する指定工程と、
スクロールの指示に応じて、前記画像選択領域の表示を自動スクロールするスクロール工程とを備え、
前記表示制御工程は、前記スクロール工程によって前記画像選択領域内を自動スクロールする画像が前記指定工程によって指定された場合に、指定された画像を前記画像選択領域内の指定された位置に静止して表示し、前記スクロール工程では、前記指定された画像以外の画像を、該指定された画像が静止している領域を除く画像選択領域内において自動スクロールさせることを特徴とする画像選択方法。
【請求項５】
画像選択方法をコンピュータに実行させるためのプログラムであって、
前記画像選択方法は、
表示画面に表示された画像選択領域に複数の画像を表示する表示制御工程と、
前記画像選択領域に表示された画像を指定する指定工程と、
スクロールの指示に応じて、前記画像選択領域内の表示を自動スクロールするスクロール工程とを備え、
前記表示制御工程は、前記スクロール工程によって前記画像選択領域内を自動スクロールする画像が前記指定工程によって指定された場合に、指定された画像を前記画像選択領域の指定された位置に静止して表示し、前記スクロール工程は、前記指定された画像以外の画像を、該指定された画像が静止している領域を除く画像選択領域内において自動スクロールさせることを特徴とするプログラム。
【発明の詳細な説明】
【技術分野】
【０００１】
本発明は、画像選択装置及び方法、並びにプログラムに関する。
【背景技術】
【０００２】
デジタルカメラ、デジタルビデオが普及し、家庭でもデジタルコンテンツを保存して管理するようになってきた。デジタルコンテンツは、銀塩写真、ＶＨＳビデオなどのアナログコンテンツと違い、コンピュータの画面などに画像として一覧表示を行うことが可能となっている。
【０００３】
マイクロソフト（登録商標）社のＷｉｎｄｏｗｓ（登録商標）ＸＰなどのＯＳには、標準でデジタルコンテンツの管理を行う機能が装備されているものがある。
【０００４】
それらのデジタルコンテンツの管理機能では、ディスプレイの表示画面上に、ハードディスク等の記憶媒体に保存されているか、接続されたカメラ等が有するメモリに格納されている画像データの一覧を表示する。ユーザは、その中から複製や印刷を行いたい画像を指定する。
【０００５】
通常この場合、選択された画像には枠形状のカーソルや印が可視的に付加されて表示され、画面上で選択画像か否かの判別ができるようになっている。そして、選択された画像は、他のフォルダ等に複製したり、印刷装置に転送され、ユーザの所望の画像の複製や印刷を行うことができる。
【０００６】
しかしながら、近年の記憶媒体の大容量化に伴い、保存されるデジタルコンテンツの数が増え、一覧表示するサムネイル画像数が多くなり、１画面内ではすべての画像を表示できなくなる場合が多くなっている。このため、保存されているデジタルコンテンツのサムネイル画像のすべてを一覧表示で見るためには、煩雑な手順が必要となってしまう。
【０００７】
また、一旦選択した画像をキャンセルして別の画像を再選択（画像選択のやり直し）する場合には、スクロール等の操作を行って一旦選択した画像を一覧表示上に表示させて確認する必要があり、煩雑な操作が必要となってしまう。
【０００８】
この問題を解決するために、次のような技術が提案されている。表示画面上の一覧画像表示領域に複数の画像を表示し、ユーザは、この一覧画像表示領域中の画像から所望の画像を印刷対象画像として指定する。印刷対象画像に指定された画像は当該表示画面上の選択画像表示領域に表示される。表示内容のスクロールが指示されると、一覧画像表示領域の表示内容がスクロールされ、選択画像表示領域の表示内容はそのまま維持される（例えば特許文献１参照）。
【０００９】
この技術によれば、１画面内に収まらない数のサムネイル画像から所望のコンテンツを選択し、画面のスクロールを行った場合に選択済みのコンテンツの選択を解除する場合、サムネイル画像の一覧表示をスクロールすることなくキャンセルすることが可能となる。
【特許文献１】特開２０００−１１３２０４号公報
【発明の開示】
【発明が解決しようとする課題】
【００１０】
上述した従来の画像選択技術では、選択した画像は第２表示領域に表示されるため、第１表示領域に表示されている他の画像と比較しながら選択することが困難であった。また、既に選択した画像よりも良い画像を見つけたときに、既に選択済みの画像の選択を解除して新たに画像を選択するといった作業を行うことが困難であった。
【００１１】
本発明の目的は、画像選択領域で自動スクロール中の画像の中から所望の画像を選択した際に、他の画像との比較を行うことができ、また、画像選択領域内に表示されている選択画像の中から所望の画像の選択の解除を行うことができる画像選択装置及び方法、並びにプログラムを提供することにある。
【課題を解決するための手段】
【００１２】
上記目的を達成するために、請求項１記載の画像選択装置は、表示画面に表示された画像選択領域に複数の画像を表示する表示制御手段と、前記画像選択領域に表示された画像を指定する指定手段と、スクロールの指示に応じて、前記画像選択領域の表示を自動スクロールするスクロール手段とを備え、前記表示制御手段は、前記スクロール手段によって前記画像選択領域内を自動スクロールする画像が前記指定手段によって指定された場合に、指定された画像を前記画像選択領域内の指定された位置に静止して表示し、前記スクロール手段は、前記指定された画像以外の画像を、該指定された画像が静止している領域を除く画像選択領域内において自動スクロールさせることを特徴とする。
【００１３】
上記目的を達成するために、請求項４記載の画像選択方法は、表示画面に表示された画像選択領域に複数の画像を表示する表示制御工程と、前記画像選択領域に表示された画像を指定する指定工程と、スクロールの指示に応じて、前記画像選択領域の表示を自動スクロールするスクロール工程とを備え、前記表示制御工程は、前記スクロール工程によって前記画像選択領域内を自動スクロールする画像が前記指定工程によって指定された場合に、指定された画像を前記画像選択領域内の指定された位置に静止して表示し、前記スクロール工程では、前記指定された画像以外の画像を、該指定された画像が静止している領域を除く画像選択領域内において自動スクロールさせることを特徴とする。
【００１４】
上記目的を達成するために、請求項５記載のプログラムは、画像選択方法をコンピュータに実行させるためのプログラムであって、前記画像選択方法は、表示画面に表示された画像選択領域に複数の画像を表示する表示制御工程と、前記画像選択領域に表示された画像を指定する指定工程と、スクロールの指示に応じて、前記画像選択領域内の表示を自動スクロールするスクロール工程とを備え、前記表示制御工程は、前記スクロール工程によって前記画像選択領域内を自動スクロールする画像が前記指定工程によって指定された場合に、指定された画像を前記画像選択領域の指定された位置に静止して表示し、前記スクロール工程は、前記指定された画像以外の画像を、該指定された画像が静止している領域を除く画像選択領域内において自動スクロールさせることを特徴とする。
【発明の効果】
【００１９】
本発明によれば、表示画面上の画像選択領域に複数の画像を表示し、出力の対象として画像選択領域中に表示された画像を指定する。そして、表示スクロールの指示に応じて、画像選択領域の表示を自動スクロールして、指定された画像を表示画面上の画像選択領域上の指定された位置に静止して表示する。このように指定された画像を表示画面上の画像選択領域上の指定された位置に静止して表示することで、画像選択領域で自動スクロール中の画像の中から所望の画像を選択した際に、他の画像との比較を行うことができ、また、画像選択領域内に表示されている選択画像の中から所望の画像の選択の解除を行うことができる。
【発明を実施するための最良の形態】
【００２０】
以下、本発明の実施の形態を図面を参照しながら詳細に説明する。
【００２１】
図１は、本発明の第１の実施の形態に係る画像選択システムの構成を示す概念図である。
【００２２】
図１において、画像選択システムは、パーソナルコンピュータ等の情報処理装置１０、イメージスキャナ等の画像読取装置２０、デジタルカメラ３０、デジタルビデオカムコーダ４０、プリンタ等の印刷装置５０を備える。各装置はＵＳＢ等の通信手段により情報処理装置１０と直接接続される。
【００２３】
尚、情報処理装置１０は、汎用情報処理装置に搭載される標準的な構成要素（例えば、ＣＰＵ、ＲＡＭ、ＲＯＭ、ハードディスク、外部記憶装置、ネットワークインタフェース、ディスプレイ、キーボード、マウス等）を有している。また、情報処理装置１０の座標入力装置は表示装置に付属のデジタイザ、タッチパネル等の座標入力装置であっても良い。
【００２４】
本発明の画像選択装置は情報処理装置１０により構成される。情報処理装置１０が取り込むデジタルコンテンツは、画像読取装置２０、デジタルカメラ３０、デジタルビデオカムコーダ４０から提供され、情報処理装置１０に保存される。デジタルコンテンツの提供方法としては、ＵＳＢや無線ＬＡＮ等の通信手段を介する転送による方法と、ＳＤメモリカード等の記憶媒体を介する方法とがある。
【００２５】
図２は、本発明の第２の実施の形態に係る画像選択システムの構成を示す概念図である。
【００２６】
図２において、画像選択システムは、パーソナルコンピュータ等の情報処理装置１０、イメージスキャナ等の画像読取装置２０、デジタルカメラ３０、デジタルビデオカムコーダ４０、プリンタ等の印刷装置５０を備える。
【００２７】
また、画像選択システムは、無線ＬＡＮアクセスポイント６０、タブレットＰＣ等の携帯情報端末装置７０を備える。各装置はネットワーク１を介して情報処理装置１０と接続される。
【００２８】
携帯情報端末装置７０は、無線ＬＡＮアクセスポイント６０を介してネットワーク１に接続されており、ネットワーク１を介して情報処理装置１０と接続される。携帯情報端末装置７０により、情報処理装置１０に保存されているデジタルコンテンツの縮小画像の一覧表示を行うことができる。また、携帯情報端末装置７０から情報処理装置１０へデジタルコンテンツを提供しても良い。更に、携帯情報端末装置７０自体がデジタルコンテンツを収集し、自身の表示装置上にデジタルコンテンツの縮小画像の一覧表示を行うこともできる。この場合、本発明の画像選択装置は携帯情報端末装置７０により構成される。
【００２９】
上記の構成では、デジタルコンテンツを画像選択装置に複製または移動している。しかし、デジタルコンテンツ自体を画像読取装置２０、デジタルカメラ３０、デジタルビデオカムコーダ４０に残したまま、デジタルコンテンツの縮小画像のみを画像選択装置に転送し、縮小画像の一覧表示を行うこともできる。
【００３０】
この場合、縮小画像の一覧表示によりデジタルコンテンツの選択を行い、選択後の印刷、再生等の処理については、画像読取装置２０、デジタルカメラ３０、デジタルビデオカムコーダ４０にあるデジタルコンテンツに対して行う。
【００３１】
以下、本発明の画像選択装置による画像の選択方法について説明する。
（実施例１）
図３乃至図７を用いて実施例１を説明する。
【００３２】
図３は、図１、図２における画像選択装置の表示装置に表示される画面を示す図である。
【００３３】
図３において、画像選択装置の表示画面１００は、画像ファイルの縮小画像の一覧表示から画像を選択する画像選択領域１１０を有する。
【００３４】
画像選択領域１１０において、右から左へと自動スクロールを行う。自動スクロールの速度は、スピードアップボタン１３０をクリック（選択指示）することで上げ、スピードダウンボタン１３１をクリック（選択指示）することで下げることができる。また、ストップボタン１３２をクリック（選択指示）することで自動スクロールを停止することができる。
【００３５】
表示画面１００の縮小画像のスクロール領域１２０には、本画像選択装置に登録されているデジタルコンテンツの縮小画像が一覧表示されている。縮小画像のスクロール領域１２０に表示されている縮小画像は、登録されている画像のすべてとは限らず、表示しきれない縮小画像はスクロールボタン１３５及び１３６をクリック（選択指示）することで左右にスクロールさせて表示することができる。
【００３６】
表示画面１００の縮小画像表示領域１４０は、縮小画像のスクロール領域１２０のうち、画像選択領域１１０に表示されているデジタルコンテンツの縮小画像を枠で囲むことで示している。縮小画像表示領域１４０の枠を、座標入力装置を用いて左右に移動することで、縮小画像のスクロール領域１２０に表示される縮小画像領域を変更することができる。
【００３７】
図４は、図３における画像選択領域の自動スクロールの様子を示す図である。
【００３８】
図４において、（ａ）の状態から左に自動スクロールすることにより、（ｂ）の状態になる。
【００３９】
図５は、図３における画像選択領域が図４（ｂ）の状態のときに、縮小画像１５０をクリック（選択指示）した状態を示す図である。
【００４０】
図５において、（ａ）で選択された縮小画像１５０の枠が太い線となり、選択されたことが分かる。（ｂ）は（ａ）の状態から更に左にスクロールした状態を示しており、縮小画像一覧は左にスクロールしているが、選択画像１５０はその場に留まっている状態を示している。
【００４１】
図６は、図３における画像選択領域において複数の縮小画像を選択した状態を示す図である。
【００４２】
図６において、（ａ）は画像選択領域１１０が図５（ｂ）の状態のときに、縮小画像１５０に加えて、縮小画像１６０及び１７０をクリック（選択指示）した状態を示している。（ｂ）は（ａ）の状態から更に左にスクロールしているが、選択された縮小画像１５０、１６０及び１７０がその場に留まっている状態を示している。
【００４３】
図６（ａ）で選択画像１６０と選択画像１７０の間にあった縮小画像１８０が、図６（ｂ）では選択画像１５０と選択画像１６０の間に移動している。
【００４４】
図７は、図６における選択画像の選択取り消しの状態を示す図である。
【００４５】
図７において、（ａ）は図６（ｂ）の選択画像１６０を再度クリック（選択指示）することにより、選択が解除される際の解除選択の状態を示している。解除選択時に選択画像１６０の枠が太い点線で囲まれ、その後選択が解除される。
【００４６】
図７において、（ｂ）は選択画像１６０の選択状態が解除され、縮小画像１８０の後ろに挿入される形で一覧表示内の１縮小画像として取り込まれている状態を示している。図６（ａ）では縮小画像１６０は縮小画像１８０の左に位置していたが、図７（ｂ）では縮小画像１６０は縮小画像１８０の右側に位置している。
【００４７】
このように、本実施例の画像選択装置は、画像選択領域１１０で自動スクロール中の画像の中から所望の画像を選択した際に、画像選択領域１１０内に該選択画像を表示させることで、他の画像との比較を行うことができる。また、画像選択領域１１０内に表示されている選択画像の中から所望の画像の選択の解除を行うことができる。
【００４８】
本実施例では、縮小画像選択時に、選択された縮小画像の枠を太い線で囲んでいるが、他の手段で選択されていることを表現しても良い。また、選択された縮小画像の選択状態を解除する際に、該選択画像の枠を太い点線で囲んでいるが、他の手段で選択されていることを表現しても良い。
【００４９】
本実施例では、自動スクロールの方向を右から左としたが、座標入力装置等の指示により自動スクロールの方法を選ぶことができるようにしても良い。
（実施例２）
図８乃至図１２を用いて実施例２を説明する。
【００５０】
図８は、図１及び図２における画像選択装置の表示装置に表示される画面を示す図である。
【００５１】
図８において、画像選択装置の表示画面２００は、画像ファイルの縮小画像の一覧表示から画像を選択する画像選択領域２１０を有する。
【００５２】
画像選択領域２１０において、上から下へと自動スクロールを行う。自動スクロールの速度は、スピードアップボタン２３０をクリック（選択指示）することで上げ、スピードダウンボタン２３１をクリック（選択指示）することで下げることができる。また、ストップボタン２３２をクリック（選択指示）することで自動スクロールを停止することができる。
【００５３】
表示画面２００の縮小画像のスクロール領域２２０には、本画像選択装置に登録されているデジタルコンテンツの縮小画像が一覧表示されている。縮小画像のスクロール領域２２０に表示されている縮小画像は登録されている画像のすべてとは限らず、表示しきれない縮小画像はスクロールボタン２３５及び２３６をクリック（選択指示）することで上下にスクロールさせて表示することができる。
【００５４】
縮小画像表示領域２４０は、縮小画像のスクロール領域２２０のうち画像選択領域２１０に表示されているデジタルコンテンツの縮小画像を枠で囲むことで示している。縮小画像表示領域２４０の枠を、座標入力装置を用いて上下に移動することで、縮小画像のスクロール領域２２０に表示される縮小画像領域を変更することができる。選択画像表示領域２５０は、画像選択領域２１０で選択した画像の一覧表示を行う領域である。
【００５５】
図９は、図８における画像選択領域の自動スクロールの様子を示す図である。
【００５６】
図９において、（ａ）の状態から下に自動スクロールすることにより（ｂ）の状態になる。図９（ｂ）は画像選択領域２１０の縮小画面が自動スクロールによって選択画像表示領域２５０の下に入り込んでいる様子を示している。
【００５７】
図１０は、図８における画像選択領域が図９（ｂ）の状態のときに、縮小画像２６０をクリック（選択指示）した状態を示す図である。
【００５８】
図１０において、（ａ）で選択された縮小画像２６０の枠が太い線となり、選択されたことが分かる。（ｂ）は（ａ）の状態から更に下にスクロールした状態を示している。画像選択領域２１０の縮小画像一覧は下にスクロールし、選択画像２６０も１緒にスクロールするが、縮小画像選択領域２１０の縮小画像一覧が選択画像表示領域２５０の下に入りこむのとは違い、選択画像２６０は選択画像表示領域２５０上にスクロールする。
【００５９】
図１０において、（ｃ）は選択画像２６０がスクロールして選択画像表示領域２５０内に入り、選択画像２６５として選択画像表示領域２５０内の管理下の選択画像になる様子を示している。（ｄ）は画像選択領域２１０の縮小画像一覧が自動スクロールを行い、選択画像表示領域２５０の下に入り込んでいるが、選択画像２６５は選択画像表示領域２５０上に留まっており状態を示している。
【００６０】
図１１は、図８における画像選択領域で複数の縮小画像を選択したときの状態を示す図である。
【００６１】
図１１において、（ａ）は画像選択領域２１０が図１０（ｄ）の状態のときに、縮小画像２８０をクリック（選択指示）した状態を示している。選択画像表示領域２５０には縮小画像２６５及び２７５が既に選択されている。（ｂ）は図６（ａ）の状態から自動スクロールによって、選択画像２８０が選択画像２８５として選択画像表示領域２５０に追加された状態を示している。
【００６２】
選択画像が増えて選択画像表示領域２５０に入りきらない場合は、図１１（ｂ）の選択画像２６５、２７５及び２８５のすべての選択画像が表示できるようにそれぞれの選択画像の縮小表示を行う。
【００６３】
図１１において、（ｃ）は縮小画像のスクロール領域２２０のうち選択画像表示領域２５０に表示されている縮小画像と同じものを分かるように太い枠を付けて表示している図である。点線の丸３００で囲んでいる部分に選択画像２６５、２７５及び２８５の縮小画像が太い枠付きで表示されている。
【００６４】
図１２は、図１１における選択画像の選択取り消しの状態を示す図である。
【００６５】
図１２において、（ａ）は図１１（ｂ）で選択画像表示領域２５０に選択画像２６５が追加された状態であり、ここで選択画像２６５の選択を解除するために選択画像表示領域２５０内の選択画像２６５を再度クリック（選択指示）する。
【００６６】
図１２（ａ）で選択画像２６５をクリック（選択指示）すると、図１２（ｂ）のように選択画像２６５の選択が解除され、選択画像表示領域２５０内の表示から削除される。選択画像２６５の選択が解除されることで選択画像表示２５０の表示に余裕ができ、縮小表示されていた各選択画像は元々の大きさに拡大されて表示される。
【００６７】
このように、画像選択領域２１０で自動スクロール中の画像の中から所望の画像を選択した際に、画像選択領域２１０と隣接する選択画像表示領域２５０に該選択画像を表示させる。そして、選択画像表示領域２１０内の画像が表示しきれないほど増えた場合は、選択画像表示領域２１０内の画像を縮小表示することですべての選択画像を表示させることができる。
【００６８】
また、選択画像表示領域２１０内に表示されている選択画像の中から所望の画像の選択の解除を行えるようにし、表示する画像の数が適当になった場合に縮小表示を解除することができる。
【００６９】
本実施例では、縮小画像選択時に、選択された縮小画像の枠を太い線で囲んでいるが、他の手段で選択されていることを表現しても良い。
【００７０】
本実施例では、自動スクロールの方向を右から左としたが、座標入力装置等の指示により自動スクロールの方法を選ぶことができるようにしても良い。
【００７１】
図１３は、本発明の画像選択装置の機能ブロック図である。
【００７２】
画像選択装置は、ＣＰＵ１１を中心に、表示画面１２（図３の表示画面１００、図８の表示画面２００）、出力手段１３、指定手段１４、格納手段１５を備えている。
【００７３】
ここで、ＣＰＵ１１は、請求範囲に記載した、第１表示制御手段乃至第５表示制御手段、指定手段、スクロール手段、読出手段、解除手段の機能を有する。
【００７４】
また、本発明の目的は、システムまたは装置のコンピュータ（またはＣＰＵやＭＰＵ等）が記憶媒体に格納されたプログラムコードを読み出して実行することによっても達成される。その場合、実施の形態の機能を実現するソフトウェアのプログラムコードを記録した記憶媒体を、そのシステムまたは装置に供給する。
【００７５】
この場合、記憶媒体から読み出されたプログラムコード自体が前述した実施の形態の機能を実現することになり、そのプログラムコード及び該プログラムコードを記憶した記憶媒体は本発明を構成することになる。
【００７６】
また、プログラムコードを供給するための記憶媒体としては、例えば、フロッピー（登録商標）ディスク、ハードディスク、光磁気ディスクなどがある。また、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いてもよい。または、プログラムコードをネットワークを介してダウンロードしてもよい。
【００７７】
また、コンピュータ上で稼動しているＯＳ（オペレーティングシステム）等が実際の処理の１部または全部を行い、その処理によって前述した実施の形態の機能が実現される場合も含まれる。その場合、コンピュータが読み出したプログラムコードをOS等が実行することにより、そのプログラムコードの指示に基づき実現される。
【００７８】
更に、機能拡張ボードや機能拡張ユニットに備わるＣＰＵ等が実際の処理の１部または全部を行い、その処理によって前述した実施の形態の機能が実現される場合も含まれる。その場合、記憶媒体から読み出されたプログラムコードが、コンピュータに挿入された機能拡張ボードやコンピュータに接続された機能拡張ユニットに備わるメモリに書き込まれた後、そのプログラムコードの指示に基づき実行される。
【図面の簡単な説明】
【００７９】
【図１】本発明の第１の実施の形態に係る画像選択システムの構成を示す概念図である。
【図２】本発明の第２の実施の形態に係る画像選択システムの構成を示す概念図である
【図３】図１、図２における画像選択装置の表示装置に表示される画面を示す図である（その１）。
【図４】図３における画像選択領域の自動スクロールの状態を示す図である。
【図５】図３における画像選択領域が図４（ｂ）の状態のときに、縮小画像をクリックした状態を示す図である。
【図６】図３における画像選択領域において複数の縮小画像を選択した状態を示す図である。
【図７】図６における選択画像の選択取り消しの状態を示す図である。
【図８】図１及び図２における画像選択装置の表示装置に表示される画面を示す図である（その２）。
【図９】図８における画像選択領域の自動スクロールの状態を示す図である。
【図１０】図８における画像選択領域が図９（ｂ）の状態のときに、縮小画像をクリックした状態を示す図である。
【図１１】図８における画像選択領域で複数の縮小画像を選択したときの状態を示す図である。
【図１２】図１１における選択画像の選択取り消しの状態を示す図である。
【図１３】本発明の画像選択装置の機能ブロック図である。
【符号の説明】
【００８０】
１  ネットワーク
１０  情報処理装置
１１  ＣＰＵ（各機能手段構成要素）
１２  表示画面
１３  出力手段
１４  指定手段
１５  格納手段
２０  画像読取装置
３０  デジタルカメラ
４０  デジタルビデオカムコーダ
５０  印刷装置
６０  無線ＬＡＮアクセスポイント
７０  携帯情報端末装置
１００  表示画面
１１０  画像選択領域
１２０  縮小画像のスクロール領域
１３０〜１３２  自動スクロール制御ボタン
１３５〜１３６  縮小画像のスクロール領域の制御ボタン
１４０  縮小画像表示領域
１５０〜１７０  選択された縮小画像
１８０  非選択縮小画像
２００  表示画面
２１０  画像選択領域
２２０  縮小画像のスクロール領域
２３０〜２３２  自動スクロール制御ボタン
２４０  縮小画像表示領域
２５０  選択画像表示領域
２６０〜２８５  選択された縮小画像
【図１】
0004829694.tif 000002
【図２】
0004829694.tif 000003
【図１３】
0004829694.tif 000004
【図３】
0004829694.tif 000005
【図４】
0004829694.tif 000006
【図５】
0004829694.tif 000007
【図６】
0004829694.tif 000008
【図７】
0004829694.tif 000009
【図８】
0004829694.tif 000010
【図９】
0004829694.tif 000011
【図１０】
0004829694.tif 000012
【図１１】
0004829694.tif 000013
【図１２】
0004829694.tif 000014